(57)【要約】  仕上がり縁部とともに並んだノッチを有する織り及び編み基材を開示する。かかる基材は、対向するファスナテープとして使用されてもよく、そして、ファスナ要素が、公知の様式で対向するファスナテープに形成され、編まれ、又は別の態様で付加されてもよい。ノッチ付きファスナテープが、結果として生じるスライドファスナを対向するファスナテープのいずれも面外に座屈させることなく、面内で湾曲させることを可能にする。仕上がり縁部は、カットされたノッチを有する従来技術の基材とは全く対照的に、織り又は編み基材の構造完全性を維持する。湾曲開口を有し、開示したスライドファスナを組み込んでいるパネル化された基材もまた開示する。
2019500166.tif 000002
【特許請求の範囲】
【請求項１】
スライドファスナであって、
１対の対向する織り又は編み基材であって、それぞれの基材が、互いに相手方と対向して位置する連続パネル区画と、それぞれの連続パネル区画の側方外向きに延在する複数の長手方向に並んだパネル区画と、を画定し、それぞれのパネル区画は、仕上がり周辺縁部を画定して、それぞれ対向する仕上がり周辺縁部同士の間の隙間によって隣接するパネル区画から分離されている、１対の対向する織り又は編み基材と、
前記連続パネル区画のうち一方の区画の縁部に沿って互いの長手方向に位置する第１の複数のファスナ要素、及び前記連続パネル区画のうち他方の区画の縁部に沿って互いの長手方向に位置する第２の複数のファスナ要素と、
前記第１の複数及び前記第２の複数のファスナ要素とスライド可能に係合しているスライダであって、前記第１の複数のファスナ要素を前記第２の複数のファスナ要素との嵌合係合へと動かすこと、及び前記第１の複数のファスナ要素を前記第２の複数のファスナ要素との嵌合係合から係合解除することを行うように構成されている、スライダと、
を含む、スライドファスナ。
【請求項２】
前記１対の基材のそれぞれは、編み構造を含む、請求項１に記載のスライドファスナ。
【請求項３】
それぞれのパネル区画は、前記パネル区画の１つの仕上がり縁部から当該パネル区画の反対側の仕上がり縁部まで長手方向に延在する対応する複数のパネルたて糸を含む、請求項２に記載のスライドファスナ。
【請求項４】
選択されたパネル内の前記パネルたて糸のそれぞれが、当該選択されたパネル内の他のパネルたて糸と比較して等価な長さを有する、請求項３に記載のスライドファスナ。
【請求項５】
選択されたパネル内の隣接するパネルたて糸が、相互に異なる長さを有することにより、
隣接するパネル区画からの不均一な長手方向の隙間を形成する、請求項３に記載のスライドファスナ。
【請求項６】
前記１対の基材のそれぞれは、それぞれの連続パネル区画の側方最内縁部から側方最外仕上がり縁部まで延在する複数の編み列を有する編まれた構造を含む、請求項１に記載のスライドファスナ。
【請求項７】
パネル区画に対応するそれぞれの編み列は、前記それぞれの基材のノッチ付き領域に対応するそれぞれの編み列よりも側方方向に比較的長い、請求項６に記載のスライドファスナ。
【請求項８】
それぞれの隙間は、均一な長手方向寸法を有する、請求項７に記載のスライドファスナ。
【請求項９】
それぞれの隙間は、不均一な長手方向寸法を有する、請求項６に記載のスライドファスナ。
【請求項１０】
それぞれの仕上がり縁部は、結束糸を含む、請求項６に記載のスライドファスナ。
【請求項１１】
基材であって、
対向する第１及び第２のパネルであって、湾曲開口が前記第１のパネルと前記第２のパネルとの間の位置で前記基材を貫いて延在する、対向する第１及び第２のパネルと、
それぞれの複数の並んだパネル区画を画定する１対の対向する区画化基材を有する湾曲スライドファスナであって、前記区画化基材のうちの一方に対応する前記並んだパネル区間のそれぞれは、前記第１及び前記第２のパネルのうちの対応する一方に添付され、前記区画化基材のうちの他方に対応する前記並んだパネル区間のそれぞれは、前記第１及び前記第２のパネルのうちの他方に添付され、前記並んだパネル区間のそれぞれの周辺縁部は、いかなる尾部もなく、前記スライドファスナは、複数の嵌合係合可能なファスナ要素を有し、スライドが、ファスナ要素を互いに嵌合係合へと動かすこと、及び嵌合係合されたファスナ要素を互いに離れる方に動かすことを行うように構成されている、湾曲スライドファスナと、
を含む、基材。
【請求項１２】
前記対向する第１及び第２のパネルは、単一構造のそれぞれの部分を構成する、請求項１１に記載の基材。
【請求項１３】
前記第１のパネルは、第１の構造の部分を構成し、前記第２のパネルは、第２の構造の部分を構成し、前記第１の構造と前記第２の構造とは、縫い目で一緒に接合される、請求項１１に記載の基材。
【請求項１４】
前記湾曲開口は、第１の末端部から第２の末端部まで延在し、前記開口の曲率は、前記第１の末端部と前記第２の末端部との間で変化する、請求項１１に記載の基材。
【請求項１５】
前記湾曲開口は、前記第１の末端部と前記第２の末端部との間に変曲点を画定する、請求項１４に記載の基材。
【請求項１６】
前記湾曲スライドファスナの前記区画化基材のそれぞれは、編み構造を含む、請求項１１に記載の基材。
【請求項１７】
それぞれの区画化基材のそれぞれのパネル区間は、前記それぞれのパネル区画の１つの仕上がり縁部から前記パネル区画の対向する仕上がり縁部まで長手方向に延在する対応する複数のパネルたて糸を含む、請求項１６に記載の基材。
【請求項１８】
前記区画化基材のそれぞれは、前記それぞれの区画化基材の側方最内縁部から側方最外仕上がり縁部まで延在する複数の編み列を有する編まれた構造を含む、請求項１１に記載の基材。
【請求項１９】
パネル区画に対応するそれぞれの編み列は、隣接するパネル区画の間のそれぞれの区画化基材の領域に対応するそれぞれの編み列よりも側方方向に比較的長い、請求項１８に記載の基材。
【請求項２０】
前記第１のパネル及び前記第２のパネルのうちの一方又は両方は、編まれた、織られた、又はフェルトに作られたテキスタイル、均一なパネル、不均一なパネル、又は、それらの組合せを含む、請求項１１に記載の基材。
【発明の詳細な説明】
【技術分野】
【０００１】
本明細書において開示する発明及びその関連する主題（併せて「本開示」と称す）は、概して平面基材及びその関連するシステムに関し、限定的でなくより具体的には、開示する平面基材の単に特定の例でしかない基材上の皺の寄った又は波打った平坦でない表面が低減又は除去される湾曲スライドファスナに好適な織り又は編み基材を有する、選択された平面内にある湾曲基材に関する。
【背景技術】
【０００２】
スライドファスナは、バッグの開口部、衣服の前部、及び／又はズボンチャックを開閉するために開口付きパネルに添付されてもよい。湾曲スライドファスナは、そのファスナテープ（又は、基材）がその主要面（例えば、テープ表面）に対して水平方向に（例えば、「面内で」）スライドファスナの長手軸に沿って所定の曲率で湾曲させられ、湾曲開口を開閉するのに時には望ましい。従来、織る方向又は編む方向に相互に平行に直線的に（例えば、長手方向に）走るファスナテープの縦糸は、実質的に非弾性である。したがって、従来のファスナテープの織り方向又は編み方向の糸張力を、ファスナテープをテープ表面に対して水平方向に屈曲させるか又は湾曲させる試み等によって調節することは、縦糸のうちの１つ又は複数のもの（例えば、半径方向内側の縦糸）を座屈させ、その結果、偏向していない静止したファスナテープの平らな表面に対して面外に延在する波打った平面を生じさせる。
【０００３】
従来の湾曲したスライドファスナについては、直線基材の縦方向に（例えば、長手方向に）配列された複数の並列するノッチを基材に切り込むことにより、そのような座屈を克服してきた。図１及び２は、特許文献１に開示された、ノッチ５及び６を有する湾曲スライドファスナのための従来の基材の例を表す。しかし、かかるポストプロダクションノッチ加工は、従来のように織り又は編み糸を切ることにより基材したがってスライドファスナを実質的に弱体化させるので、コストを上昇させ、基材の信頼性を低下させる。例えば、フリーカット糸は、基材をすり減らす場合がある。
【０００４】
したがって、基材のポストプロダクションノッチ加工を必要としない湾曲スライドファスナ（例えば、ジッパー）に好適な基材に対する必要性が存在する。同様に、糸のフリーカット端部がないノッチ付き基材に対する必要性が依然として残る。
【先行技術文献】
【特許文献】
【０００５】
【特許文献１】西独国実用新案公開第７１２２４０７号明細書
【発明の概要】
【課題を解決するための手段】
【０００６】
本明細書で開示する革新的な基材及びその関連する革新技術は、先行技術の問題を克服し、前述又は別の必要性のうちの１つ又は複数のものを対象にする。
【０００７】
例えば、仕上がり縁部を伴う並んだノッチを有する織り及び編み基材を開示する。かかる基材は、対向するファスナテープとして使用されてもよく、そして、ファスナ要素が公知の様式で対向するファスナテープに形成されるか、編まれるか、又は別の態様で付加されてもよい。ノッチ付きファスナテープは、対向するファスナテープのいずれも面外に座屈させることなく、結果として生じるスライドファスナが面内で湾曲することを可能にする。更に、仕上がり縁部は、切られたノッチを有する従来技術の基材とは全く対照的に、開示する織り及び編み基材の構造完全性を維持する。
【０００８】
これらの及び別の実施形態は、以下の詳細な説明及び図面において更に詳細に説明される。別の革新的な態様が、様々な実施形態が例として表され説明されている以下の詳細な説明から当業者に容易に明かになるであろうことを理解されたい。認識されるように、別の異なる実施形態が可能であり、いくつかの詳細が、全て本明細書で開示した原理の趣旨及び範囲から逸脱することなく、様々な別の点で修正することが可能である。
【０００９】
したがって、図面及び詳細な説明は、事実上、例示的なものであって、限定的なものではないと考えられるべきである。添付のクレームは、最初にこの文書において出願されたとき、又は続いて補正されたとき、それにより本明細書に直接書かれたかのようにこの発明の概要の節に組み込まれる。
【図面の簡単な説明】
【００１０】
【図１】ノッチ付き基材を有する先行技術のスライドファスナを表す。
【図２】屈曲後の図１に表すスライドファスナを表す。
【図３】仕上がり縁部を伴う織りノッチを有する織り基材を表す。
【図４】仕上がり縁部を伴うノッチを有する編み基材を表す。
【図５Ａ】湾曲開口がそこを通っている基材を表す。
【図５Ｂ】湾曲開口がそこを通っている基材を表す。
【図６】図５Ａ及び５Ｂに表すタイプの基材に添付された、本明細書で説明された時点の湾曲スライドファスナを表す。
【発明を実施するための形態】
【００１１】
別途明記しない限り、添付図面は、本明細書で説明された革新的な主題の態様を示す。類似の参照数字がいくつかの図全体を通して同様の部分を示している図面を参照すると、やがて開示される原理のうちのいくつかの態様が、図面の詳細において限定のためでなく例として示される。
【００１２】
特定の例を参照することによって、以下の内容は、平面基材に関する様々な革新的な原理を説明し、より具体的には、湾曲スライドファスナとの使用に好適なノッチとともに形成される編み及び織り基材に関するが、これに限定されない。
【００１３】
開示した原理のうちの１つ以上を様々なシステム構成に組み込むことにより、様々な対応するシステム特性のうちの任意のものを達成してもよい。添付図面と関連して以下で述べる詳細な説明は、開示した原理の様々な実施形態の説明として意図されており、発明者が企図する唯一の実施形態を表すことを意図していない。更に、詳細な説明は、本明細書で開示した原理の包括的な理解を提供する目的のための特定の詳細を含む。しかし、クレームされた発明のうちの１つ以上は、示している詳細のうちの１つ以上を伴わずに実施されてもよく、及び／又は本明細書に明示的に示すか又は説明することがない詳細と関連して実施されてもよいことが、本開示を検討した後の当業者には明らかであろう。
【００１４】
言い換えると、特定の構成、用途、又は使用に関して説明されるシステムは、明細書で開示した革新的な原理のうちの１つ以上を組み込み、そして、開示した原理の１つ以上の革新的な態様を示すために使用されるシステムの単なる例である。したがって、本明細書で論じるスライドファスナシステムの特定の例と異なる属性を有するスライドファスナシステムは、革新的な原理のうちの１つ以上を具現化してもよく、そして、本明細書で詳細に説明していない用途において使用してもよい。したがって、かかる代替の実施形態は、また、本開示の検討の後に当業者によって理解されるように本開示の範囲内にある。
【００１５】
図１及び２に表すように、湾曲スライドファスナは、それぞれがファスナ要素３の対応する列を有する１対の対向するファスナテープ４を有してもよい。スライダ８は、係合解除状態にあるが対向しているファスナ要素３を嵌合係合状態にするよう動かし、又はスライダ８が前後にスライドするときに、嵌合係合状態にあるファスナ要素３を分離させるように構成されてもよい。図２に示すように、並んだノッチ５及び６が、ファスナテープ基材を座屈させるか又は面外に変形させることなく、ファスナが、より具体的にはノッチ付きファスナテープ４が、ファスナテープ４の面内で屈曲することを可能にする。
【００１６】
しかし、図１及び２に示す先行技術のデバイスにおいては、示しているファスナテープ４内のよこ糸及び／又はたて糸を切っていくつかのノッチ５、６を形成する。切ることによって編み又は織りファスナテープ４を分割することの結果として、織り又は編み構造の構造完全性が実質的に低下させられ、その結果生じる織り又は編み構造の尾部が時間経過とともにすり減ることにより、基材の構造完全性を更に低下させる場合がある。したがって、時間経過とともに、図１及び２に示す先行技術のデバイスは、織り又は編み構造がすり減るにつれて、それが（例えば、接着剤、縫合、又は別の既知の技術によって）添付されている基材パネルから層間剥離することがある。
【００１７】
図３は、１対の対向する織り基材１０、１７を示す。それぞれの基材は、織る（長手）方向に延在する連続パネル区画１３の側方外向きに延在する複数の長手方向に並んだパネル区画１１を形成するような態様で織られている。パネル区画１１は、織る間に、それらの間に位置するノッチ１２によって互いに分離されて、それぞれのパネル区画１１の外側周辺部の周りに延在する仕上がり周辺縁部１４、１５をもたらす。その結果、ここで開示するようなノッチ付き基材は尾部が無く、それで上記の従来の切られた基材のようにすり減ることがないであろう。したがって、かかる開示した基材を組み込む開示した基材及びスライドファスナは、基材パネルに添付される場合、従来のファスナテープと比較して、層間剥離する又は別様に機能しなくなる可能性が実質的により小さい。
【００１８】
図３に示すように、それぞれのパネル区画１１のたて糸は、連続パネル区画１３内のたて糸と比較して短く、そして織る（又は、長手）方向のそれぞれのパネル区画の長さだけ延在している。したがって、図３に示す基材は、連続パネル区画１３を形成するための相互に隣接して側方に位置する複数の連続たて糸と、相互に隣接して側方に位置し、それぞれのパネル区画１１に対応する１セットの複数のたて糸（「パネルたて糸」と呼ばれる）と、を有する。パネルたて糸のそれぞれのセット内のいくつかのたて糸は、相互に隣接して側方に位置し、そして、連続たて糸に平行な織る方向に延在している。それに加えて、パネルたて糸のそれぞれのセットは、パネルたて糸の１つ又は複数の隣接するセットから長手方向に間隔をあけている。パネルたて糸の隣接するセット同士の間の間隔又は隙間は、結果として生じるノッチ１２の間隔及び形状を画定する。
【００１９】
例えば、パネルたて糸の所与のセット内のパネルたて糸は、隣接するパネルたて糸に対するそれらのそれぞれの側方位置に関係なく、均一な固定長を有してもよい。かかる配列は、対応するパネル区画１１に沿って側方に延在する直線縁部１８をもたらす。その代替として、隣接するパネルたて糸の長さが異なることにより、対応するパネル区画に沿って縁部１８の外形がそれに対応して異なってもよい。例えば、隣接するパネルたて糸の長さが、連続パネル区画１３から側方外向きに、それぞれのたて糸の位置に対応して連続的に漸減してもよい。図１に表すノッチ６と同様に、たて糸（したがってパネル区画１１）のかかる漸減する長さは、側方最外位置に（例えば、連続区画１３から側方遠位に）比較的より大きい隙間と、側方最内位置に（例えば、連続区画１３の側方近位に）比較的より狭い隙間とを有するくさび形のノッチを提供してもよい。しかし、図１に示すノッチ６とは対照的に、開示したファスナテープのノッチは、ファスナテープの構造完全性を維持するための仕上がり縁部を有する。
【００２０】
かかるファスナテープを形成するための方法を説明する。連続たて糸及びパネルたて糸のいくつかのセットに張力をかけた後に、よこ糸が、所望の様式でいくつかのたて糸の上下で織られてもよい。たて糸の上下でよこ糸を織るために使用されるシャトル又は別の部材がノッチ付き領域（例えば、連続パネル区画１３の側方最外範囲に対応するたて糸）に到達すると、シャトルは、縁部１６まで戻ってもよい。パネルたて糸を有する領域において、よこ糸を伴うシャトルは、パネルを横断して、例えば、縁部１４まで進んでもよい。縁部１４、１５、及び１６を仕上げるために、当業者に理解されるように、たて糸又はよこ糸の任意の尾部が、公知の態様で基材中に織り込まれて仕上がり縁部を作成してもよい。かかる仕上がり縁部は、基材をノッチ加工するための従来の手法と同様に、連続たて糸を切るか又は別の態様で区画化することによって形成された「生の縁部」と比較して、すり減るか又は別の態様で劣化する可能性がより小さくなる。
【００２１】
図３に示すように、ちょうど今説明したタイプの１対の基材が、相互に対向する関係で位置することにより、対向するファスナテープ１０、１７を形成してもよい。ファスナ要素３は、対向する連続縁部１６に形成されても又はその中に織り込まれてもよく、そして、スライダ８は、公知の態様でファスナテープと係合されてもよい。一旦スライドファスナがちょうど今説明したようにアセンブルされると、ノッチ付きファスナテープ１０、１７は、いずれのファスナテープ１０、１７の座屈又は別の面外変形も伴わずに、スライドファスナが面内で屈曲するか又は湾曲することを可能にする。
【００２２】
ここで図４に戻ると、編むことによって形成された仕上がり縁部を伴うノッチ付き基材２０をここで説明する。織り基材１０と同様に、編み基材２０は、ノッチ２２によって形成された隙間によって相互から分離された複数の並んだパネル区画２１を有する。編み基材２０は、パネル区画２１の露出縁部の周りに延在する仕上がり縁部２４だけでなく、編み方向に延在する連続仕上がり縁部２５を有する。それぞれの織り列の長さは、列が、例えば、所与のパネル区画２１の遠位縁部２４で終端することになるか否か、又は、列が、遠位縁部の側方内側で、例えば、ノッチ２２の近位縁部で終端することになるか否かに従って決定される。編み列のそれぞれの末端部において、結束縫糸を使用して、列を仕上げ、そして織り列を跨ぐ仕上がり縁部を提供する。様々な形状のノッチが、編まれた構造を用いて可能である。例えば、それぞれの編み列は、ノッチの最内縁部（編まれた連続パネル区画の最外縁部に対応する）とパネル区画２１の最外縁部２５との間の選択位置で終端してもよい。
【００２３】
図４に示すように、ちょうど今説明したタイプの１対の基材が、相互に対向する関係で位置することにより、対向するファスナテープ２０、２６を形成してもよい。ファスナ要素３は、対向する連続縁部２５に形成されても又はその中に織り込まれてもよく、そして、スライダ８は、公知の態様でファスナテープと係合されてもよい。一旦スライドファスナがちょうど今説明したようにアセンブルされると、ノッチ付きファスナテープ２０、２６は、いずれのファスナテープ２０、２６の座屈又は別の面外変形を伴わずに、スライドファスナが面内で屈曲するか又は湾曲することを可能にする。
【００２４】
ここで図５Ａ及び５Ｂを参照すると、本明細書で開示したようなスライドファスナは、所定の基材３０を貫く湾曲開口３１を画定する１つ又は複数のパネル３２、３３に添付されてもよい。例えば、湾曲開口３１は、基材３０内の対向する、そして対応して構成された第１と第２のパネル縁部３２ａ、３３ａの間に画定されてもよい。
【００２５】
基材は、連続パネルから形成されても、又はパネルのアセンブリによって形成されてもよい。パネルは、織り、編み、若しくはフェルトのテキスタイルであってもよく、又は任意の別のパネル化材料若しくはファブリックであってもよい。しかし、パネル化に好適な材料の２つの代表例としては、ポリウレタン及びネオプレンが挙げられる。パネルは、均一な構造又は不均一な構造を有してもよい。例えば、所与のパネルは、異なる材料の複数の積層を含んでもよい。複数のパネルから形成された基材において、開口３１は、いくつかのパネル間で１つ又は複数の縫い目に跨ってもよい。
【００２６】
本明細書で説明するような基材は、望ましくはリバーシブルに閉鎖可能な湾曲開口を組み込む様々な異なる衣類、スポーツ用品、手荷物アイテム、家具アイテム、履物等に組み込まれてもよい。代表的な衣類としては、インナー及びアウターウェアが挙げられる。例えば、スキージャケット等の外衣に組み込まれたいくつかの胸ポケット又は肩ポケットは、好ましくは、湾曲した閉鎖可能な開口部を有する。開示した湾曲スライドファスナは、開口部の対向する縁部に添付されることにより、開口部に隣接する領域内のスライドファスナ及び／又は基材の座屈を回避しながら、ポケットを開閉するのを可能にしてもよい。代表的なスポーツ用品の一例としては、テント、天蓋、及びバックパックが挙げられる。代表的な小荷物アイテムとしては、例えば、スーツケース、化粧品バッグ、ダッフルバッグ等が挙げられる。家具アイテムとしては、恒久的に取り付けられるか又は着脱可能なカバーを有する多くのタイプの椅子、ソファー、マットレス等が挙げられる。
【００２７】
図６に示すように、上記のようなスライドファスナは、基材３０の対向する縁部３２ａ、３３ａに添付されてもよい。より具体的には、しかし限定的でなく、開示したスライドファスナのファスナテープ４１、４３にそれぞれ対応するパネル区画４２、４４のそれぞれは、基材３０の対応するパネル３２、３３に添付されても（例えば、縫われ、接着され、鋲着され、又は別の態様で付着されても）よい。かかる配列によって、ファスナテープ４１、４３のそれぞれと関連するファスナ要素は、開口３１を画定する対向する縁部の上方又はそれからわずかに側方内側に位置してもよい。したがって、スライド（図示せず）がそれぞれのファスナテープの対向するファスナ要素を相互の嵌合係合へと動かすとき、対向するファスナテープは、開口３１を閉じるようにパネル３２、３３を相互に向かって動かす。図５Ａは、閉位置にある開口３１を表し、一方、図５Ｂでは、開口３１は開位置にあるように表されている。言い換えると、パネル３２、３３は、図５Ｂにおいて相互から間隔をあけることによりその間に隙間を画定する。
【００２８】
図６に示すように、隣接するパネル区画４４同士の間の隙間が、ファスナテープ４３が座屈を伴わずに面内で凸状に屈曲することを可能にする。同様に、他方のファスナテープ４１に対応するパネル区画４２のそれぞれ同士の間のノッチ又は隙間が、そのファスナテープが凹状に屈曲することを可能にし、このことが、ノッチを拡大させるけれどもファスナテープ４１を座屈又は破断させない。
【００２９】
パネル区画４２、４４のそれぞれは、それぞれのパネル３２、３３の対応する領域に添付されてもよい。上記のように、スライダ８は、ファスナテープ４１、４３とスライド可能に係合されていることにより、スライダがファスナテープ４１、４３に沿って前後に長手方向に動くとき、テープ４１、４３の対向するファスナ要素を相互の嵌合係合状態へと動かすか、又はそれらの間の嵌合係合状態を係合解除する。
【００３０】
いずれかの特定の例と関連する上記の原理は、他の例のうちのいずれかの１つ又は複数のものと関連して説明した原理と組合わされてもよい。したがって、この詳細な説明は、限定の意味に解釈されてはならず、この開示の検討後に、当業者であれば本明細書で説明した様々な概念を用いて考案され得る多種多様なシステムを認識することになるであろう。更に、当業者であれば、本明細書で開示した例示的な実施形態が、開示した原理から逸脱することなく様々な構成に適用されてもよいことを認識するであろう。
【００３１】
例えば、図５Ａ、５Ｂ及び６に表す湾曲開口は、実質的に一定の曲率を有するけれども、１つ又は複数の曲率変曲点を含む可変曲率を有する開口が考えられる。曲率変曲点を有する開口の代表例としては、「Ｓ」形状の開口が挙げられる。開示したスライドファスナは、かかる可変曲率を有する開口と関連する使用に好適である。
【００３２】
方向及び基準（例えば、上に、下に、最上部、底部、左、右、後方に、前方に等）は、図面に関する議論を容易にするために使用されてもよいが、限定を意図されていない。例えば、「上に」、「下に」、「上側」、「下側」、「水平の」、「垂直の」、「左」、「右」等の特定の用語が使用されてもよい。かかる用語は、特に図示された実施形態に関して相対的な関係を扱う場合に該当するとき、説明に関してなんらかの明快さを提供するために使用される。かかる用語は、しかし、絶対的な関係、位置、及び／又は向きを意味することを意図されていない。例えば、物体に関して、「上側」面は、単に物体をひっくり返すことによって「下側」面になる場合がある。それでも、それは依然として同一の面であり、物体は同一のままである。本明細書で使用するとき、「及び／又は」は、「及び」又は「又は」だけでなく、「及び」及び「又は」を意味する。更に、本明細書で引用する全ての特許及び非特許文献は、全ての目的ためにその全体が参照によって本明細書に組み込まれる。
【００３３】
開示した実施形態についての前記説明は、いずれの当業者も開示した新機軸を作成又は使用することができるように提供されている。それらの実施形態への様々な修正が、容易に当業者に明らかになるであろう、そして、本明細書で規定された包括的な原理が、本開示の趣旨又は範囲から逸脱することなく別の実施形態に適用されてもよい。したがって、開示した発明は、本明細書に示す実施形態に限定されることを意図されないが、本開示の言い回しと整合する範囲全体に許容されることができ、冠詞「ａ」又は「ａｎ」の使用による等の単数の要素への言及は、特に明記しない限り、「１つ及び１つだけ」を意味することが意図されず、むしろ「１つ又は複数」を意味する。当業者に公知であるか又は後に公知になる、本開示全体を通して説明された様々な実施形態の要素に対する全ての構造的又は機能的な等価物は、請求項の要素に包含されることが意図される。更に、本明細書で開示しないものは、かかる開示が請求項で明示的に列挙されるか否かに関係なく、全て公共に開かれている。要素は、その要素が用語「のための手段」又は「のための工程」を使用して明示的に列挙されない限り、米国特許法１１２条第６パラグラフの規定の下で構成されることができない。
【００３４】
したがって、開示した原理が適用され得る多くの可能な実施形態を考慮する場合、上記の実施形態は単なる例にすぎず、範囲の限定として見なされるべきでないことが認識されなければならない。そのため、私は、本明細書で開示した主題に対する全ての権利を保有し、その権利は、本明細書に記載した主題のうちの任意のもの及び全ての組合せについての所有権を主張する権利を含み、以下の請求項の範囲及び趣旨内にある全てに限定されることがない権利を含む。
【図１】
2019500166.tif 000003
【図２】
2019500166.tif 000004
【図３】
2019500166.tif 000005
【図４】
2019500166.tif 000006
【図５Ａ】
2019500166.tif 000007
【図５Ｂ】
2019500166.tif 000008
【図６】
2019500166.tif 000009
【国際調査報告】
2019500166.tif 000010